(57)【要約】      （修正有）【課題】不使用時にフックを扁平な収納ケース内に折畳んで収納すると共に支持板によって蓋をして、服のポケット等に入れて携帯するのに便利となるテーブル掛バッグハンガーを提供する。【解決手段】扁平な方形をなした収納ケース２と、収納ケース２の一端に対して第１の支軸１４を介して回動可能に連結されると共に、倒伏状態では収納ケース２の内部に収納される一方、起立状態では収納ケース２の外部に延出される回動立伏板４と、収納ケース２の他端に対して第２の支軸１５を介して９０度よりも小さい開き角度で回動開閉可能に連結されると共に、収納ケース２の上面を開閉可能に覆う蓋用とテーブル等の台板上面への支持用とを兼ねた蓋兼用の支持板３と、回動立伏板４の先端部分に固定された折返片５と、折返片５に開設された支持孔６と、支持孔６に、上部がその軸回りに３６０度回転可能で、かつ第１の支軸１４に平行な軸線回りに回動可能に遊嵌された掛吊り用のフック７とを備える。【選択図】図１
0003142266.tif 000002
【実用新案登録請求の範囲】
【請求項１】
扁平な方形をなした収納ケースと、
前記収納ケースの一端に対して第１の支軸を介して回動可能に連結されると共に、倒伏状態では前記収納ケースの内部に収納される一方、起立状態では前記収納ケースの外部に延出される回動立伏板と、
前記収納ケースの他端に対して第２の支軸を介して９０度よりも小さい開き角度で回動開閉可能に連結されると共に、前記収納ケースの上面を開閉可能に覆う蓋用とテーブル等の台板上面への支持用とを兼ねた蓋兼用の支持板と、
前記回動立伏板の先端部分に固定された折返片と、
前記折返片に開設された支持孔と、
前記支持孔に、上部がその軸回りに３６０度回転可能で、かつ前記第１の支軸に平行な軸線回りに回動可能に遊嵌された掛吊り用のフックと、
を備えたことを特徴とするテーブル掛バッグハンガー。
【考案の詳細な説明】
【技術分野】
【０００１】
本考案は、ハンドバッグなどに入れて持ち歩くことができ、机やテーブルなどの台板に引っ掛けて用いられるテーブル掛バッグハンガーに関する。
【背景技術】
【０００２】
従来のこの種のテーブル掛バッグハンガーとしては、支持板の下面に設けられた軸受により、９０度以上に開かないように、軸で接続した懸垂具の端部に、自在に回転したり曲がることができる柔軟性の有る細長い接続具により接続された輪を備え、輪は、容易に開閉、着脱できる構造で、必要に応じ、ハンドバッグや傘等に取付けたまま、又は、取り外して使用に供する構造を備えたハンガー装置（特許文献１）が公知となっている。
【０００３】
また、金属製の支持板の裏面に、テーブルなどの台板の上面に載置される柔軟な摩擦板が貼着され、開き角度が９０度よりも小さい角度になるように折曲部を介して連結された枝杆部と垂下杆部とを有する支持杆を有し、この支持杆における上記枝杆部をその軸回りに回転可能に保持しかつその枝杆部を上記支持板の径方向外方に突出させる第１連結具が上記支持板の外周部の１箇所に接合され、上記支持杆における上記垂下杆部の下端に円筒状の第２連結具の上端部が固着され、この第２連結具に、フック部を有しかつ上端部に環状溝を有する吊下げ杆の上記上端部が回転自在に内嵌合されてこの吊下げ杆が上記垂下杆部と同心状に配置されていると共に、上記第２連結具にその径方向にピン挿通孔が貫設され、そのピン挿通孔に挿通されたピンが上記吊下げ杆の上記環状溝に嵌まり込んでいるテーブル掛バッグハンガー（特許文献２）が公知である。
【０００４】
また、映画館や演劇場などの場所において、前席の背板に掛け吊りすることができる携帯用の掛け吊り具として、折畳み展開形に形成する２本の掛け吊具と、蝶番部を挟んで連結した２本の掛け吊具の収納用と展開によるテーブル用とを兼ねた容器兼用のテーブルとからなり、該容器兼用のテーブルの両側外端に角筒形の嵌着部を設け、２本の掛け吊具の展開掛け吊りと、該２本の掛け吊具の下端に相対する嵌着部を嵌着することにより掛け吊りテーブルを構成するようにした折畳み携帯用の掛け吊り具が公知となっている（特許文献３）。
【０００５】
【特許文献１】特開平１０−１１３２７５号公報
【特許文献２】実用新案登録第３０３２８３３号公報
【特許文献３】実用新案登録第２６００１８１号公報
【考案の開示】
【考案が解決しようとする課題】
【０００６】
上記特許文献１や特許文献２に記載のテーブル掛バッグハンガーは、使用する場所の状況に応じて輪やフック部の向きを自由に変えることができ、台板の上面が水平である場合に好適に使用することができる。また、嵩張らずに携帯することができるものである。しかしながら、特許文献１ではハンガー装置自体を収納する機能はなく、特許文献２においてもテーブル掛バッグハンガー自体を収納する機能はない。このため、例えば、薄型ハンドバッグ内や服のポケットに入れると、輪やフック部が、収納部分の内側の生地に引っかかって収納部分を傷めることが起こりかねない。
【０００７】
一方、特許文献３に記載の折畳み携帯用の掛け吊り具は、使用しない時に容器兼用のテーブル内に２本の掛け吊具を収納して携帯および保管するので、より扁平且つコンパクトに収納することができる。しかし、掛け吊具と容器兼用のテーブルとが別体で構成されて掛け吊具を分離して使用するものであるため、例えば、掛け吊具を落としてしまったり、紛失する虞がある。
【０００８】
そこで、本考案は、これに鑑みてなされたもので、その目的は、展開開閉式の収納ケースと掛け吊り用のフックとを一体に構成し、使用時には収納ケースの蓋を展開して収納ケースの蓋を支持板とすると共に掛け吊り用のフックを収納ケースより懸垂させる。不使用時にはフックを扁平な収納ケース内に折畳んで収納すると共に支持板によって蓋をし、薄型ハンドバッグ内や服のポケットに入れて携帯に便利となるテーブル掛バッグハンガーを提供するものである。
【課題を解決するための手段】
【０００９】
請求項１に係るテーブル掛バッグハンガーは、扁平な方形をなした収納ケースと、前記収納ケースの一端に対して第１の支軸を介して回動可能に連結されると共に、倒伏状態では前記収納ケースの内部に収納される一方、起立状態では前記収納ケースの外部に延出される回動立伏板と、前記収納ケースの他端に対して第２の支軸を介して９０度よりも小さい開き角度で回動開閉可能に連結されると共に、前記収納ケースの上面を開閉可能に覆う蓋用とテーブル等の台板上面への支持用とを兼ねた蓋兼用の支持板と、前記回動立伏板の先端部分に固定された折返片と、前記折返片に開設された支持孔と、前記支持孔に、上部がその軸回りに３６０度回転可能で、かつ前記第１の支軸に平行な軸線回りに回動可能に遊嵌された掛吊り用のフックとを備えたことを特徴とする。
【考案の効果】
【００１０】
請求項１に係るテーブル掛バッグハンガーによれば、展開開閉式の収納ケースと掛け吊り用のフックとを一体に構成し、使用時には収納ケースの蓋を展開して収納ケースの蓋を支持板とすると共に掛け吊り用のフックを収納ケースより懸垂させる。不使用時には、フックを扁平な収納ケース内に折畳んで収納すると共に支持板によって蓋をするので、フック分離型のものに比べ、フックを落としたり紛失することがなく、フックが収納ケース内に収納され支持板で蓋されているので、薄型ハンドバッグ内や服のポケットに入れて携帯するのに便利となり、さらに薄型ハンドバッグ内や服のポケットに入れた時に、フックが、収納部分の内側の生地に引っかかってしまうことがない。
【考案を実施するための最良の形態】
【００１１】
以下、本考案の実施の形態を図面を参照して説明する。図１は本考案の実施形態に係るテーブル掛バッグハンガーの収納ケースに対して支持板を開いた状態を示す斜視図であり、本考案の実施形態に係るテーブル掛バッグハンガーの収納ケースに対して支持板を閉じた状態（携帯時）を示す斜視図である。また、図３は本考案の実施形態に係るテーブル掛バッグハンガーの側面図である。
【００１２】
図１乃至図２に示すように、テーブル掛バッグハンガー１は、扁平な方形をなした収納ケース２と、収納ケース２の上面を開閉可能に覆う蓋用とテーブル等の台板上面への支持用とを兼ねた蓋兼用の支持板３と、収納ケース２に対して第１の支軸１４を介して回動可能に連結されると共に、倒伏状態では収納ケース２の内部に収納される一方、起立状態では収納ケース２の外部に延出される回動立伏板４と、回動立伏板４の先端部分に固定された折返片５と、折返片５に開設された支持孔６と、折返片５の支持孔６に、上部がその軸回りに３６０度回転可能で、かつ第１の支軸１４に平行な軸線回りに回動可能に遊嵌された掛け吊り用のフック７とを備えている。
【００１３】
収納ケース２は、金属製であって、上方が開放された扁平な長方形状の箱体をなしており、収納ケース２の底部を形成している底板部８と、収納ケース２の左右の側部を形成している側板部９，９と、収納ケース２の後面を形成している後板部１０とを備えている。なお、収納ケース２の前部を形成する部材は設けられておらず、前方は開放されている。また、収納ケース２の左右の側板部９，９と後板部１０とによって囲まれた底板部８の上面が収容部１１になっている。
【００１４】
収納ケース２の後板部１０の上端面は、回動立伏板４の後端縁が当接して該回動立伏板４の起立位置（収納ケース２に対する回動立伏板４の起立角度θ２）を略９０度に規制する第１ストッパー部１２に設定されている（図１及び図３参照）。また、収納ケース２の底板部８の前端面は、支持板３の裏面前縁が当接して該支持板３の開放方向の回動位置（収納ケース２に対する支持板３の開き角度θ１）を９０度よりも小さい角度に（本実施形態では、略７５度に設定されている。なお、７０度〜８０度が好適である。）に規制する第２ストッパー部１３に設定されている（図３参照）。
【００１５】
収納ケース２の左右の側板部９，９の後端寄りには、収納ケース２の幅方向に沿って第１の支軸１４が架設され、収納ケース２の左右の側板部９，９の前端寄りには、収納ケース２の幅方向に沿って第２の支軸１５が架設されている。第１の支軸１４にはヒンジ１６を介して金属製の回動立伏板４が回動自在に設けられ、回動立伏板４の先端には折返片５がその先端を突出させて一体に固定されている。また、第２の支軸１５にはヒンジ１７を介して支持板３の前端寄りの下面が回動開閉自在に設けられている。支持板３は金属製であり、収納ケース２の長さ寸法と略同じであり、幅寸法は僅かに小さく、厚み寸法は収納ケース２の厚み寸法の略半分である。支持板３の裏面には、ゴム製の摩擦板１８が貼着されている。
【００１６】
図４は、図３における後方から示すテーブル掛バッグハンガー１の要部を示す正面図である。折返片５は、薄板状の帯金の一端を他端に向けて間隔を開けて前面と後面とが対面するように中央部分を折り返して形成され、折返片５の前面と後面との間は中空になっている（図１並びに図３参照）。図４に示すように、折返片５の先端の幅方向における中央には、対面する前面及び後面を切り欠いて形成した逆Ｕ字形をなした支持孔６が開設されている。
【００１７】
フック７は、長手方向に直交する断面が円形の金属製の線材より形成され、中途部分から上部の吊下げ杆部１９と中途部分に相当する湾曲部２０と湾曲部２０を介して斜め上方に延出されたフック部２１とを有し、吊下げ杆部１９の上端に、吊下げ杆部１９の直径よりも大きい径の半球形状の頭部２２が一体に形成されている（図３並びに図４参照）。
【００１８】
図３乃至図４に示すように、折返片５の支持孔６内にはフック７の頭部２２が遊嵌されて支持されている。支持孔６の横幅ｄは半球形状の頭部２２の直径ｒよりも小さく、かつ吊下げ杆部１９の直径よりも大きい（図４参照）。したがって、折返片５の支持孔６からフック７（頭部２２）が抜け出ることがない。また、折返片５の前面と後面との間隔は半球形状の頭部の直径よりも若干大きい。従って、図３に矢印ａで示すように、フック７の吊下げ杆部１９がその軸回りに３６０度回転可能である。折返片５の支持孔６の中央方向への切り込み深さ寸法は、半球形状の頭部２２の直径よりも若干大きい。これにより、図３に矢印ｂで示すように、フック７は、第１の支軸１４に平行な軸線回りに１８０度よりも若干大きい角度の範囲内で回動可能である。
【００１９】
以上のように構成されたテーブル掛バッグハンガー１は、ハンドバッグやその他のセカンドバッグ、あるいはポケットなどに入れて持ち運ぶことのできる大きさ、具体的には手のひらに載る程度の大きさに作られている。そして、不使用時には、図１に示すように、収納ケース２の収容部１１に回動立伏板４、折返片５及びフック７が収納され、ヒンジ１７を介して支持板３を閉鎖方向に回動させることにより、図２に示すように、支持板３によって収納ケース２の上面を閉鎖して蓋しておけば、扁平且つコンパクトに収納することができ、嵩張らずに持ち運ぶことができる。このように、不使用時にはフック７を扁平な収納ケース２内に折畳んで収納すると共に支持板３によって蓋をするので、フック分離型のものに比べ、フックを落としたり紛失することがなく、フック７が収納ケース２内に収納され支持板３で蓋されているので、薄型ハンドバッグ内や服のポケットに入れて携帯に便利となり、さらに薄型ハンドバッグ内や服のポケットに入れた時に、フック７が、収納部分の内側の生地に引っかかってしまうことがない。
【００２０】
使用時には、ヒンジ１７を介して支持板３を開放方向に回動させることにより、支持板３の裏面前縁が収納ケース２の第２ストッパー部１３に当接して収納ケース２に対する支持板３の開き角度が略７５度に規制される（図３）。また、ヒンジ１６を介して回動立伏板４を起立方向に回動させることにより、回動立伏板４の後端縁が収納ケース２の第１ストッパー部１２に当接して該回動立伏板４を略９０度に起立させることができる（図３）。なお、起立状態では回動立伏板４、その先端の折返片５及びフック７が収納ケース２の外部に延出される。上述のように展開開閉式の収納ケース２と掛け吊り用のフック７とを一体に構成し、使用時には収納ケース２の蓋（支持板３）を展開して収納ケース２の蓋を台板３０への支持板３とすると共に掛け吊り用のフック７を収納ケース２より懸垂させる。
【００２１】
図５はテーブル掛バッグハンガー１の使用状態を示す側面図である。図５において、符号３０は机やテーブルなどの台板、符号３１は台板３０の上面である。テーブル掛けバッグハンガー１は、支持板３がその裏面に貼着された摩擦板１８を介して台板３０の上面３１に載置され、フック７が回動立伏板４及び折返片５を介して支持されると共に、台板３０の上面３１の下方に垂れ下がる（図５参照）。
【００２２】
この状態でフック７のフック部２１に手荷物の手下げ紐３２などを吊り下げると、支持板３と収納ケース２との開き角度が９０度よりも小さい角度（この実施形態では略７５度）になっていることにより、重心位置が、支持板３の垂直下方位置あるいはその垂直下方位置に近い位置になる。また、支持板３の裏面に設けられたゴム製の摩擦板１８が手荷物などの重みによりその全面が台板３０の上面３１に密着する。このため、手荷物などの重さで支持板３が傾いて摩擦板１８の一部が台板３０の上面３１から浮き上がるといった事態が起こらない。したがって、摩擦板１８の全面が台板３０の上面３１に接触してその摩擦板１８の滑り止め作用が十分に発揮され、支持板３が台板３０上の定位置に滑らないように確実に保持される。
【００２３】
また、テーブル掛バッグハンガー１においては、折返片５に設けた支持孔６に頭部２２を介して遊嵌されたフック７の吊下げ杆部１９がその軸回りに３６０度に亘って回転させることができるので、例えば、台板３０の下部の側板等がフック７に干渉してしまうようなときには、図３に示す矢印ａのようにフック７の向きを反対側に向けておくと、フック７のフック部２１に手荷物などを吊り下げられるようになる。
【図面の簡単な説明】
【００２４】
【図１】本考案の実施形態に係るテーブル掛バッグハンガーの収納ケースに対して支持板を開いた状態を示す斜視図である。
【図２】本考案の実施形態に係るテーブル掛バッグハンガーの収納ケースに対して支持板を閉じた状態（携帯時）を示す斜視図である。
【図３】本考案の実施形態に係るテーブル掛バッグハンガーの側面図である。
【図４】図３における後方から示すテーブル掛バッグハンガーの要部を示す正面図である。
【図５】本考案の実施形態に係るテーブル掛バッグハンガーの使用状態を示す側面図である。
【符号の説明】
【００２５】
１  テーブル掛バッグハンガー
２  収納ケース
３  支持板
４  回動立伏板
５  折返片
６  支持孔
７  フック
８  底板部
９  側板部
１０  後板部
１１  収容部
１２  第１ストッパー部
１３  第２ストッパー部
１４  第１の支軸
１５  第２の支軸
１６  ヒンジ
１７  ヒンジ
１８  摩擦板
１９  吊下げ杆部
２０  湾曲部
２１  フック部
２２  頭部
３０  台板
３１  上面
３２  手下げ紐
【図１】
0003142266.tif 000003
【図２】
0003142266.tif 000004
【図３】
0003142266.tif 000005
【図４】
0003142266.tif 000006
【図５】
0003142266.tif 000007